【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
穀粒を投入する投入ホッパ（１２）と、穀粒を籾摺りする籾摺装置（１４）と、籾摺装置（１４）で籾摺りされた穀粒を精米処理する精米装置（１６）と、投入した穀粒が籾か玄米かを識別する識別手段と、投入する穀粒の白度を選択する手段とを設け、該白度を選択する手段は上白・標準・ぶ搗きを選択できる構成とし、該上白・標準・ぶ搗きのいずれかで籾摺精米処理又は精米処理を行なう構成とし、前記識別手段が投入した穀粒を籾と判別したときには、前記白度を選択する手段でぶ搗きを選択してもぶ搗きの選択を無効として上白又は標準で籾摺精米処理すべく起動することを特徴とする籾摺精米設備。
【請求項２】
料金投入後に白度を選択する手段のランプが点灯する構成とし、識別手段が投入した穀粒を籾と判別したときにはぶ搗きの選択手段のランプを点灯させない構成としたことを特徴とする請求項１記載の籾摺精米設備。
【手続補正２】
【補正対象書類名】明細書
【補正対象項目名】全文
【補正方法】変更
【補正の内容】
【発明の詳細な説明】
【発明の名称】籾摺精米設備
【技術分野】
【０００１】
本発明は、投入された利用者の籾米について全自動で籾摺り、精米処理する籾摺精米設備に関するものである。
【背景技術】
【０００２】
投入された利用者の籾米について全自動で籾摺り、精米処理する籾摺精米設備は、特許文献１の例のように、籾摺装置、精米装置および関連機器を中心に、籾米を投入するための投入ホッパおよび精米処理された精白米を取出すための白米タンクを備えて構成され、一連の処理が制御部によって自動運転される。
【０００３】
利用者は、籾米を投入ホッパに投入し、次いで必要な金額のコインを投入することにより、投入ホッパの繰出装置が所定時間の稼動によって課金単位分の籾米を取込んで籾摺り精米処理し、投入金額の範囲でこれを繰り返すことにより、投入籾米を精白して白米タンクから受取ることができる。
【特許文献１】特開２００１−２０５１１６号公報
【発明の開示】
【発明が解決しようとする課題】
【０００４】
本発明の目的は、ぶ搗き精米時の低圧搗精による籾殻の混入を防止すること目的とする。
【課題を解決するための手段】
【０００５】
請求項１の発明は、穀粒を投入する投入ホッパ（１２）と、穀粒を籾摺りする籾摺装置（１４）と、籾摺装置（１４）で籾摺りされた穀粒を精米処理する精米装置（１６）と、投入した穀粒が籾か玄米かを識別する識別手段と、投入する穀粒の白度を選択する手段とを設け、該白度を選択する手段は上白・標準・ぶ搗きを選択できる構成とし、該上白・標準・ぶ搗きのいずれかで籾摺精米処理又は精米処理を行なう構成とし、前記識別手段が投入した穀粒を籾と判別したときには、前記白度を選択する手段でぶ搗きを選択してもぶ搗きの選択を無効として上白又は標準で籾摺精米処理すべく起動することを特徴とする籾摺精米設備とする。
【０００６】
請求項２の発明は、請求項１の記載において、料金投入後に白度を選択する手段のランプが点灯する構成とし、識別手段が投入した穀粒を籾と判別したときにはぶ搗きの選択手段のランプを点灯させない構成としたことを特徴とする。
【発明の効果】
【０００７】
本発明の籾摺精米設備は、籾摺りの際にぶ搗き選択を制限することにより、ぶ搗き精米時の低圧搗精による籾殻の混入を防止することができる。
【発明を実施するための最良の形態】
【０００８】
上記技術思想に基づいて具体的に構成された実施の形態について以下に図面を参照しつつ説明する。
籾摺精米設備の一構成例についてのシステム展開図を図１に、籾摺精米設備の機器配置図を図２に示すように、矩形の建屋１内には、機械室２とその前側の操作スペースとしての客室３とを仕切壁１１で仕切る。本実施の形態では客室３側を前、機械室２側を後ろとする。
【０００９】
図３の客室側正面図に示すように、籾米投入用の投入ホッパ１２と白米取出し用の白米タンク１３を客室３に臨んで配置し、また、仕切壁１１には精米処理の精白度の指定や料金投入のための操作部（操作盤）１１ａを設ける。白米タンク１３から白米を受ける取出部には小袋対応のために引出式の中段受台１３ｂ、または、押し込み位置で折り畳まれる引出式の中段受台を組み込んで構成する。投入ホッパ１２は仕切壁１１の後方すなわち機械室２側に突出して配置する構成である。
【００１０】
機械室２には、投入ホッパ１２からその奥側方向に第１昇降機１４ｅを介して接続する籾摺装置１４、その下方の異物選別装置１５と、それに続く第２昇降機１６ｅを介して接続する精米装置１６を配置し、その排出口１６ａを白米タンク１３と接続して籾摺精米の一連の工程を構成するほか、精米装置１６から糠吸引部１６ｆを介して糠袋１６ｂを配置し、また、籾摺装置１４から建家後方に向かって建家の外側に穀粒を排出する排塵筒１４ｕを配置する。
【００１１】
投入ホッパ１２は、図４の内部構成側面図に示すように、所定量の投入穀粒を繰出す回転螺旋機構であるロータリバルブ１２ｖを投入口１２ｐ内に備え、中空軸モータによる駆動部１２ｍを内設した荷受台１２ｔを仕切壁１１の前側すなわち客室側に構成する。この投入ホッパ１２は駆動部１２ｍの逆転制御によって未処理穀粒を利用者に戻すことができる。
【００１２】
また、第１昇降機１４ｅ側の軸支位置を調整板１２ｂで調整可能に構成することにより、従来のカップリングとベアリングを要することなく偏心荷重を抑えることができる上に、調整板１２ｂを外せば、回転部を客室側に抜き出すことができるので、次に述べるフード２１の分解を要することなく回転部のメンテナンスが可能となる。
【００１３】
投入ホッパ１２の投入口１２ｐには、この投入口１２ｐの左右及び後方から上方を囲むフード２１を仕切壁１１に開口した投入窓１１ｗまで立ち上げる。このフード２１は、客室作業の邪魔になることなく、雨濡れによる詰まりや搬送不良を防止でき、投入ホッパ１２が小さくても穀粒投入作業の際の穀粒の散乱を抑えつつ容量以上の穀粒投入が可能となる。
【００１４】
このフード２１内には投入口１２ｐを閉鎖するとともに裏面側に「故障」の表示を付した蓋２２を軸支する。この蓋２２は、図５（ａ）のソレノイド式の電磁保持機構２３や図５（ｂ）のロータリソレノイド式の電磁保持機構２４によってフード２１内の客室側からロック解除できない位置に取付け面の法線方向に保持し、機器故障の検出とともに蓋２２を開放するように構成する。このように構成した蓋２２は客室側からのロック解除が困難であることから通常時はロック状態が維持され、故障の検出時は、蓋２２がその自重によって投入口１２ｐを閉鎖するとともに「故障」を表示して利用者に確実に報知することができる。
【００１５】
第１昇降機１４ｅには、図６の要部斜視図に示すように、排出側から穀粒を受ける貯留タンク１４ｔに切換弁１４ｃを介設して籾摺装置１４を配置する。この籾摺装置１４は、唐箕部１４ｗから混合米を環流するいわゆる２番螺旋に代えて、唐箕部１４ｗから自然落下する２本の粃還元路１４ｓを他の穀粒路と合わせて受ける集合口（例えば、昇降機入口共通で任意に切断開口可能な樹脂製の３口用集合口）によって第１昇降機１４ｅに供給する。
【００１６】
異物選別装置１５は、図７の構成図に示すように、傾斜揺動板１５ｐに多数の通風孔１５ｈ…を形成して送風ファン１５ｍからの風を通過させることでより比重の大きい石を上送して穀粒を下送する石抜部１５ｄの穀粒移送方向Ｗの端部に揺動選別板１５ｑで穀粒と長尺物とを分離する長尺物選別部１５ａを直列に構成し、穀粒出口１５ｂと残米出口１５ｃを先端と後端に備えて構成される。この異物選別装置１５を建家側壁１ｓから精米装置１６に向けて配置する。そして穀粒は建家の左右方向すなわち建家側壁１ｓから精米装置１６へ向かって異物を選別されながら移送される構成である。残米出口１５ｃは、建家側壁１ｓと近接して第１昇降機１４ｅに連通し、この第１昇降機１４ｅから切換弁１４ｃを介して第２昇降機１６ｅに供給する残米送路１４ｇを設ける。穀粒出口１５ｂは白米タンク１３の奥側に配置した精米装置１６の側面位置で第２昇降機１６ｅと連通する。また、１４ｐは投入ホッパ１２内に少量の穀粒が料金不足等で残留した際に第１昇降機１４ｅから還元通路１４ｑを経て投入ホッパ１２の上方の還元口１４ｒに排出するために切換える還元用切換弁である。
【００１７】
残米の取扱いは、図８の動作説明拡大図に示すように、傾斜揺動板１５ｐの上端に穀粒が石とともに送られた時にシャッタ１５ｓを開き、石通路１５ｆからタンク１５ｔに石を排出し、適宜のタイミングで切換弁１５ｖにより残米出口１５ｃに切換えて残米を第１昇降機１４ｅに送る。これを第１昇降機１４ｅから切換弁１４ｃおよび残米送路１４ｇを介して第２昇降機１６ｅに供給する。
【００１８】
精米装置１６は、図９の要部縦断面図に示すように、搗精部１６ｒの精米出口に糠吸引部１６ｗから分岐して切換弁１６ｖ等による制御可能な風選万石１６ｓを設ける。その吸引動作制御は、籾判別時、ぶ搗き選択時、または、籾判別時のぶ搗き処理選択時に限定する。この吸引制御により、ぶ搗きの糠切れを向上し、特に籾からの精米におけるぶ搗き処理を可能としつつ、玄米処理時の搗精部１６ｒ内の吸引力の低下を抑えて糠切れを確保することができる。
【００１９】
上記構成の籾摺精米設備の稼動制御は、図１０の見取図に示す操作部１１ａに従い、投入コインがコイン処理部１１ｂで処理され、「籾利用」のボタン１１ｃにより籾摺工程が付加され、「白度」の選択ボタン１１ｄにより「上白」「標準」「８ぶ」の精米処理が設定されて籾摺精米設備が起動される。
【００２０】
籾摺精米設備の起動により、投入ホッパ１２内に投入された籾は、第１昇降機１４ｅから籾摺装置１４、異物選別装置１５にて籾摺と異物選別処理がなされ、さらに、第２昇降機１６ｅから精米装置１６によって精米処理される。投入ホッパ１２内の投入穀粒が尽きると異物選別装置１５の残米が第１昇降機１４ｅから残米送路１４ｇと第２昇降機１６ｅによって精米装置１６に送られ、全穀粒が精米処理されて白米タンク１３から取出し可能となる。
【００２１】
この場合において、異物選別装置１５を籾摺装置１４の下方において建家側壁から精米装置１６の側面に向けて配置することにより、長手方向である穀粒移送方向Ｗを建家の左右方向にすることで投入ホッパ１２から異物選別装置１５までの奥行き長さを抑えて構成できるとともに、残米を含む全穀粒が円滑に精米処理されることから客室が広く確保され、コース設定操作、穀粒投入操作、精白米取出し操作等を余裕を持って行うことができる。
【００２２】
したがって、奥行き長さを要する従来の残米ゼロ型籾摺精米設備の異物選別装置１５が第２昇降機の背面接続となる問題を解決し、第２昇降機１６ｅと玄米タンク１６ｔの取り合い及び籾摺装置１４と異物選別装置１５の取り合いの双方を可能に構成することができる。
【００２３】
次に、籾摺精米設備を起動する際の別の設定処理について説明する。
この設定処理は、図１１のフローチャートに示すように、籾・玄米の識別手段により籾と判別できた場合（Ｓ１）は、料金投入（Ｓ２）後の操作部１１ａによる白度選択（Ｓ３，Ｓ４）に際し、「８ぶ」「５ぶ」のぶ搗きランプを点灯させず、かつ、ぶ搗きの選択を無効として籾摺精米設備を起動する。このような籾摺りの際にぶ搗き選択を制限することにより、ぶ搗き精米時の低圧搗精による籾殻の混入を防止することができる。
【００２４】
次に、他の構成例について説明する。
他の構成例について、機器配置図および、その内部構成側面図を、図１２、図１３にそれぞれ示すように、機械室２には、投入ホッパ１２から第１昇降機１４ｅを介してその側方に籾摺装置１４配置し、その下方で投入ホッパ１２の横位置に石抜等の異物選別装置１５を奥側に向けて配置する。この異物選別装置１５の側方に第２昇降機１６ｅを配置し、この第２昇降機１６ｅに穀粒出口１５ｂおよび残米出口１５ｃとともに精米装置１６の排出路１６ａを集合連通して循環精米する。精米装置１６の排出路１６ａは切換可能に白米タンク１３に排出する。投入ホッパ１２、第１昇降機１４ｅ、異物選別装置１５のメンテナンスのために、操作盤または金庫ボックスをメンテナンス扉として構成する。
【００２５】
上記構成により、投入ホッパ１２を機械室２に収容して異物選別装置１５の石抜残米を全量処理する籾摺精米設備について、その客室スペースおよび安息角（玄米の場合は３５度）を確保しつつ機械室の奥行き寸法を抑えてコンパクトに構成することができる。
【図面の簡単な説明】
【００２６】
【図１】籾摺精米設備の一例を示すシステム展開図である。
【図２】籾摺精米設備の機器配置図である。
【図３】仕切壁の客室側正面図である。
【図４】投入ホッパの内部構成側面図である。
【図５】ソレノイド式（ａ）およびロータリソレノイド式（ｂ）の電磁保持機構である。
【図６】第１昇降機部の要部斜視図である。
【図７】異物選別装置の内部構成側面図である。
【図８】異物選別装置の残米排出動作説明図である。
【図９】精米装置の要部縦断面図である。
【図１０】操作部の見取図である。
【図１１】フローチャートである。
【図１２】別構成例の機器配置図である。
【図１３】図１２の内部構成側面図である。
【符号の説明】
【００２７】
１  建屋
１ｓ  建家側壁
２  機械室
３  客室
１１  仕切壁
１１ａ  操作部
１１ｗ  投入窓
１２  投入ホッパ
１２ｐ  投入口
１２ｍ  駆動部
１３  白米タンク
１４  籾摺装置
１４ｃ  切換弁
１４ｅ  第１昇降機
１４ｇ  残米送路
１４ｊ、１４ｋ  供給口
１４ｈ  排出口
１４ｔ  貯留タンク
１５  異物選別装置
１５ａ  長尺物選別部
１５ｂ  穀粒出口
１５ｃ  残米出口
１６  精米装置
１６ｅ  第２昇降機
１６ｊ  供給口
２１  フード
２２  蓋
Ｗ  穀粒移送方向